(57)【要約】【課題】複雑な構造を有する光触媒に効率よく光を照射することができる水素製造装置を提供する。【解決手段】水素発生槽１０の内部に、水と光触媒２０とが配置される第１槽６０、および、光触媒２０に光を照射する液体光源３０が配置される第２槽５０に隔てる分離部材１５０を配置する。分離部材１５０は、液体光源３０が発する光に対して透明であって、酸素を透過する材料によって構成されている。これにより、分離部材１５０によって、水と光触媒２０を、液体光源３０から分離することができるため、光触媒２０に接する水を酸性にした場合でも、液体光源３０は酸性の影響を受けない。また、光触媒２０が水を分解することによって生じる酸素を、分離部材１５０を通して液体光源３０に供給できる。【選択図】図１
2015067478.tif 000002
【特許請求の範囲】
【請求項１】
水素発生槽と、前記水素発生槽の内部を、水および光触媒が配置される第１槽と前記光触媒に光を照射する液体光源が配置される第２槽とに隔てる分離部材と、を有し、
前記分離部材は、前記液体光源が発する光に対して透明であって、酸素を透過する材料によって構成されていることを特徴とする水素製造装置。
【請求項２】
請求項１に記載の水素製造装置において、前記第２槽には、前記液体光源に酸素を供給する酸素供給装置が接続されていることを特徴とする水素製造装置。
【請求項３】
請求項２に記載の水素製造装置において、前記酸素供給装置は、前記第１槽で前記光触媒が前記水を分解することにより生成された水素および酸素のうちの酸素を前記第２槽の液体光源に供給する装置であることを特徴とする水素製造装置。
【請求項４】
請求項２または３に記載の水素製造装置において、前記酸素供給装置は、前記液体光源中で酸素を含む気体の泡を発生させるバブリング装置であることを特徴とする水素製造装置。
【請求項５】
請求項１ないし４のいずれか１項に記載の水素製造装置において、前記分離部材は、前記第２槽として、前記水素発生槽の内部に前記液体光源を流す流路を構成し、前記流路の外側が前記第１槽であることを特徴とする水素製造装置。
【請求項６】
請求項５に記載の水素製造装置において、前記分離部は、前記液体光源を流す蛇行した管であることを特徴とする水素製造装置。
【請求項７】
請求項１ないし６のいずれか１項に記載の水素製造装置において、前記第１槽は、少なくとも前記水を流す流路であることを特徴とする水素製造装置。
【請求項８】
請求項１ないし７のいずれか１項に記載の水素製造装置において、前記液体状の光源は、液体に分散された発光生物であることを特徴とする水素製造装置。
【請求項９】
請求項１ないし８のいずれか１項に記載の水素製造装置において、前記光触媒は、前記第１槽の内壁に配置されていることを特徴とする水素製造装置。
【請求項１０】
請求項９に記載の水素製造装置において、前記光触媒は、凹凸が形成された被着体に坦持されていることを特徴とする水素製造装置。
【請求項１１】
請求項１ないし１０のいずれか１項に記載の水素製造装置において、前記液体状の光源を発光可能な状態に調整して前記第２槽の流入口に流入させる調整槽をさらに有することを特徴とする水素製造装置。
【請求項１２】
請求項８に記載の水素製造装置において、前記発光生物は、発光バクテリアおよび発光プランクトンのうち少なくとも一方を含むことを特徴とする水素製造装置。
【発明の詳細な説明】
【技術分野】
【０００１】
本発明は、水と光触媒と光を用いて水素を発生する装置に関する。
【背景技術】
【０００２】
現在、水素は石油精製、化学製品、工業製品、燃料電池など多岐にわたり利用されている。特に、水素を利用した燃料電池は、反応過程で水しか生成されないクリーンなエネルギー源として期待されている。しかし、水素は天然にはほとんど存在しないため、化石燃料を用いた水蒸気改質、部分改質ならびに接触改質や、コークス炉ガスから水素を分離する方法や、水の電気分解などの方法により人工的に製造されている。これらの水素製造方法は、化石燃料の燃焼やＣＯ２の大量排出を伴うため、環境負荷が大きいという課題がある。
【０００３】
一方、化石燃料の燃焼やＣＯ２排出が小さい水素生成方法として、特許文献１のように、水を光触媒の表面に接触させ、光触媒の表面に光触媒作用に必要な波長と強度をもつ光を照射することにより、水を分解し、水素と酸素を発生させる方法も提案されている。
【先行技術文献】
【特許文献】
【０００４】
【特許文献１】特開２００９−２６２０７１号公報
【発明の概要】
【発明が解決しようとする課題】
【０００５】
光触媒を利用した水素生成装置の水素の発生量は、光の波長や強度、ならびに光触媒の効率に加え、光触媒の表面積に依存する。水と接触し、光が照射されている光触媒の面積が広いほど水素の発生量が増加する。
【０００６】
光触媒自体の表面積は、光触媒を支持する基材の表面に凹凸を形成したり、光触媒自体を粉末状にすることにより大きくできる。しかし、光触媒を支持する基材が複雑な凹凸形状である場合、太陽光、ランプおよびＬＥＤなどの固定光源に対して影になる部分が生じるため、影になる部分の光触媒には、光を照射することができない。そのため、基材を複雑な凹凸形状にして光触媒の表面積を拡大したとしても、その全面に光を照射することが困難であるため、水素の発生に有効な表面積を大きくできない。
【０００７】
複雑な形状の光触媒に効率よく光を照射するために、自由な形状になり得る液体状の光源を用いることが考えられる。液体状の光源としては、例えば、発光生物を液体に分散させたものが考えられる。発光生物の発する光は可視光であるが、現状の可視光応答光触媒は、酸性の条件下でなければ効率よく水を分解することが難しい。その一方、液体状の光源として発光生物を用いる場合、酸性の環境下で発光することは難しい。また、発光生物は、発光するために酸素を必要とするため、長時間発光を維持することが難しい。
【０００８】
本発明の目的は、複雑な構造を有する光触媒に効率よく光を照射することができる水素製造装置を提供することにある。
【課題を解決するための手段】
【０００９】
上記目的を達成するために、本発明の水素製造装置は、水素発生槽と、水素発生槽の内部を、水と光触媒とが配置される第１槽、および、光触媒に光を照射する液体光源が配置される第２槽に隔てる分離部材とを有する。分離部材は、液体光源が発する光に対して透明であって、酸素を透過する材料によって構成されている。
【発明の効果】
【００１０】
本発明では、水と光触媒を、分離部材によって液体光源から分離することができるため、光触媒に接する水を酸性にした場合でも、液体光源は酸性の影響を受けない。また、光触媒が水を分解することによって生じる酸素を、分離部材を通して液体光源に供給できる。よって、複雑な構造を有する光触媒に効率よく光を照射することができる。
【図面の簡単な説明】
【００１１】
【図１】（ａ）第１の実施形態の水素製造装置の構成を示すブロック図、（ｂ）流路５０の拡大断面図、（ｃ）分離部材１５０を酸素が透過することを示す説明図。
【図２】実施形態の管状の分離部材１５０の断面形状と、分離部材１５０を通して液体光源３０に酸素が供給され、外周領域ほど発光量が大きくなることを示す説明図。
【図３】第２の実施形態の水素製造装置の切り欠き断面図。
【図４】第２の実施形態の発電システムの構造を示すブロック図。
【発明を実施するための形態】
【００１２】
以下、本発明の実施の形態の水素製造装置について説明する。
【００１３】
本発明の水素製造装置は、図１に示すように、水素発生槽１０と、水素発生槽の内部を、第１槽６０および第２槽５０に隔てる分離部材１５０とを備えている。第１槽６０には、水と光触媒２０とが配置される。第２槽５０には、光触媒２０に光を照射する液体光源３０が配置される。分離部材１５０は、液体光源３０が発する光に対して透明であって、酸素を透過する材料によって構成されている。
【００１４】
液体光源３０は、その流動性により形状を自由に変えることができるため、第２槽の形状を図１のように光触媒２０に接近させた形状にすることが可能であり、光触媒に効率よく光を照射することができる。また、分離部材１５０によって水と光触媒２０から液体光源を分離することができるため、光触媒２０の反応を高めるために水を酸性にした場合でも、液体光源３０は、酸性の水の影響を受けるのを防止できる。また、光触媒２０が水を分解することによって生じる酸素を、分離部１５０を通して液体光源３０に供給できる。よって、液体光源３０として発光生物を用いた場合に、発光生物が酸素の欠乏状態になることを防ぎ、活性に保つことができるため、発光効率を高めることができる。また、第２槽５０を外気に接しない、細く長い管状等の複雑な形状にすることが可能になる。
【００１５】
第２槽５０には、液体光源３０に酸素を供給する酸素供給装置７０が接続されていることが好ましい。これにより、第２槽５０の液体光源３０が、酸素欠乏になることをさらに防ぐことができる。
【００１６】
酸素供給装置７０は、第１槽６０で光触媒２０が水を分解することにより生成された水素および酸素のうち、酸素を液体光源３０に供給する装置であることが好ましい。これにより、第１槽６０で発生する酸素を有効利用することができるとともに、酸素ボンベ等の酸素供給源を別途用意する必要がないため、メンテナンスが容易になる。酸素供給装置７０としては、例えば、液体光源３０中で酸素を含む気体の泡を発生させるバブリング装置を用いることができる。
【００１７】
分離部材１５０は、例えば、第２槽５０として、水素発生槽の内部に液体光源３０を流す流路を構成する。この場合、流路５０の外側が第１槽６０となる。分離部１５０として、例えば蛇行した管を用いることができる。
【００１８】
第１槽６０は、少なくとも水を流す流路の構造にすることができる。光触媒２０は、第１槽６０の内壁に配置することができる。光触媒２０は、表面積を広げるために、凹凸が形成された被着体１６０に坦持されていることが好ましい。
【００１９】
液体光源３０は、液体に分散された発光生物を好適に用いることができる。例えば、発光生物は、発光バクテリアおよび発光プランクトンのうち少なくとも一方を含むものを用いる。
【００２０】
また、水素発生装置は、液体状の光源を発光可能な状態に調整して、水素発生槽の第２槽の流入口に流入させる調整槽をさらに有する構成にすることも可能である。
【００２１】
なお、液体光源３０の中には、刺激を受けて発光するものもあるため、水素発生槽に、液体光源３０に化学的、物理的または電気的な刺激を与えて発光させる刺激発生部を接続することも可能である。具体的には、液体状の光源を撹拌する撹拌装置、液体状の光源を加熱する加熱装置、または、電気刺激を与える電圧印加装置等を刺激発生部として配置することができる。
【００２２】
水素発生槽は、外部から液体光源３０を内部に取り込む流入口と、内部の液体状の光源を流出する流出口と、内部で発生した水素を外部に取り出す水素取り出し口とを有する構成としてもよい。これにより、発光しなくなった液体状の光源を流出口から外部に取り出し、発光可能な状態の液体状の光源を流入口から供給できる。
【００２３】
（第１の実施形態）
以下、第１の実施形態の水素製造装置を図面を用いて具体的に説明する。
【００２４】
図１（ａ）は、水素製造装置の全体構成を示すブロック図である。この水素製造装置は、水素発生槽１０の内部に、分離部材１５０として蛇行した管が配置されている。管の内部は、液体光源３０を流す流路５０であり、流路５０の外側と水素発生槽１０の間の領域は、分解すべき水４０を流す流路６０となっている。水素発生槽１０の内壁には、凹凸構造の被着体（基材）１６０が配置され、被着体１６０の表面に光触媒２０の層が形成されている。被着体１６０は、人体の小腸の内壁を模したひだ状の凹凸構造になっている。流路５０は、被着体１６０の間を縫うように蛇行している。
【００２５】
液体光源３０としては、発光バクテリア等の発光生物を液体に混合（分散）したものを用いることができる。液体光源３０については後で詳しく説明する。
【００２６】
分離部材１５０は、液体光源３０が発する光に対して透明な材料であって、かつ、酸素透過性の材料で構成されている。例えば、シリコーン系の樹脂（一例としてはＰＤＭＳ（ポリジメチルシロキサン））によって分離部材１５０を構成することができる。
【００２７】
分離部材１５０を配置して、液体光源３０の流路と、分解すべき水の流路を隔てることにより、光触媒２０の光化学反応を効率よく生じさせるために酸性の水を用いる場合であっても、液体光源３０は分離部材１５０によって酸性の水から隔てられる。よって、発光バクテリア等の発光生物を酸性の水から隔てて生存させ、発光させることができる。
【００２８】
また、分離部材１５０が酸素を透過するため、光触媒２０に接近させるために、図１（ｂ）のように管状の流路５０を分離部材１５０で構成した場合であっても、流路５０を流れる発光バクテリア等の発光生物は、発光に必要となる酸素を、図１（ｃ）のように分離部材１５０を通して流路６０を流れる水から十分に吸収することができる。よって、流路５０の先端から末端まで、明るさに変化のない液体光源３０を実現可能である。
【００２９】
なお、流路６０を流れる水は、光触媒２０が液体光源３０から光を照射されている限り、水素と酸素に分解される反応が継続的に生じているため、酸素が豊富に溶存しており、分離部材１５０を通して流路５０の液体光源３０に十分酸素を供給できる。
【００３０】
ここで、発光バクテリアの発光に酸素が必要であることをさらに説明する。発光バクテリアの発光メカニズムは、発光基質であるルシフェリンが発光酵素ルシフェラーゼの作用で化学反応することによって光を放出するものである。ルシフェリンが酸化されてエネルギーレベルの高い不安定な過酸化物となり、これがルシフェラーゼによって基底状態に戻る際、極めて高いエネルギーを放出する。したがって、発光バクテリアの発光には酸素が不可欠である。通常の場合、発光バクテリアは周囲の水分から発光に必要な酸素を得ることができるが、本実施形態のように光源として高い発光効率を得るために、発光バクテリアの存在密度を高める場合、発光バクテリアが分散されている水に溶存している酸素のみでは酸素が不足し、発光に寄与しない個体が多数生じてしまう可能性がある。
【００３１】
本実施形態では、上述のように分離部材１５０を構成する透明部材が、酸素透過性の高い材料であるため、分離部材１５０の外側の分解すべき水に溶存している酸素を、分離部材１５０を通して発光バクテリアに供給できる。ここで、物質の酸素の通しやすさは、Dk値（酸素透過係数）で評価される。Dk値＝（溶解係数）×（拡散係数）  の関係にある。溶解係数は酸素の溶かしやすさ、拡散係数は酸素の移動しやすさを表している。よって、分離部材１５０は、Dk値が、液体光源３０が流路５０を流れている間に連続発光出来る程度に大きいことが望ましい。具体的なDk値は、使用する発光バクテリアの種類や存在確率、ならびに、流路５０の径と長さ、分離部材１５０の厚さ等に応じて、計算または実験により定める。
【００３２】
また、図２に示すように、流路５０内の液体光源３０は、分離部材１５０に近い外周領域ほど、多くの酸素の供給が供給されるため発光量が大きく、中心領域は、酸素の供給量が小さく発光量も少なくなる傾向を示す。本実施形態では、外周領域で発光された光を分離部材１５０を通して流路６０の光触媒２０に照射するため、外周領域の発光領域の発光量が中心領域よりも大きい分布であっても、光を効率よく光触媒に照射できる。
【００３３】
なお、分離部材１５０は、流路５０の流入口５０ａに近い領域は、発光バクテリアが分散されている水に溶存している酸素を吸収できるため、酸素透過率が低い材料で構成されていてもよく、流入口５０ａから離れた流出口５０ｂに近い領域にのみ酸素透過性の高い材料で分離部材１５０を構成してもよい。
【００３４】
また、光触媒２０の光化学反応の効率を高めるため、流路６０を流れる水は、酸性にすることが望ましいため、分離部材１５０の材質は、耐酸性のものが望ましい。
【００３５】
また、本実施形態では、図１に示すように流路５０の途中で、管状の分離部材１５０を水素発生槽１０の外側に引き出し、酸素供給装置７０に接続し、液体光源３０に酸素を供給し、再び水素発生槽１０に戻す構造としている。これにより、液体光源３０の溶存酸素量を増加させることができるため、液体光源３０の発光効率を高めることができる。酸素供給装置７０は、液体光源３０に溶存している酸素が不足しがちになる流入口５０ａから離れた位置で、流路５０に接続されている構成にすることができる。
【００３６】
また、酸素供給装置７０によって供給する酸素として、流路６０から発生した酸素を水素／酸素分離フィルタ等により水素から分離して用いることが望ましい。これにより、酸素供給源を用意する必要が無く、メンテナンスが容易で、省エネルギーを実現できる。
【００３７】
酸素供給装置７０は、酸素を液体光源３０の水に溶存させることができるものであれば、どのような構成であってもよい。一般的なバブリング装置や、電力をなるべく消費しない公知のマイクロバブル装置を好適に用いることができる。マイクロバブル装置は、通常のバブリング装置と比べて効率的に酸素を水に溶解させることができるため、本実施形態の流路５０のように閉鎖性水域において生じる酸素欠乏の改善には有効な手法である。マイクロバブルとは、一般的に発生時の気泡直径が５０μｍ以下であるものをいう。通常の気泡は、水中を急速に上昇して表面で破裂して消えるのに対して、マイクロバブルは、水中で縮小して完全溶解するため、効率よく溶存酸素量を増加させることができる。マイクロバブル発生装置は、広く知られた装置であるので、ここでは詳しい説明は省略する。例えば、特開２００３−３０５４９４号公報に記載の装置のように、電力を消費しないマイクロバブル装置が好適である。この他、加圧溶解型マイクロバブル発生装置や気液二相流旋回型マイクロバブル発生装置等の広く知られた装置を用いることももちろん可能である。
【００３８】
上述してきた本実施形態の水素発生装置で、水素を発生させる際の各部の動作について説明する。まず、流路５０の流入口５０ａから液体光源３０を供給し、流出口５０ｂから排出しながら、分解すべき水を流路６０の流入口６０ａから供給し、流出口６０ｂから排出する。液体光源３０は、複雑な形状をした被着体１６０の表面の光触媒２０に、分離部材１５０を通して光を照射する。液体光源３０により光が照射された光触媒２０表面では、光触媒の作用により水が分解され水素と酸素が生成される。液体光源３０には、流路６０内で生成された酸素が、分離部材１５０を通して供給される。また、流路５０の途中に設けられた酸素供給装置７０は、液体光源３０に酸素を供給する。これにより、流路５０を流れている間中、液体光源３０は発光を維持することが可能である。よって、光触媒２０の水の分解反応も流路６０を水が流れている全領域で生じる。
【００３９】
発生した水素と酸素は、主に流出口６０ｂから収集され、水素／酸素分離フィルタ等により水素と酸素とを分離して、水素を取得する。
【００４０】
本実施形態では、液体光源３０を用いるため、流路５０の形状を自由に設計することができる。よって、複雑な構造の被着体１６０に支持された光触媒２０であっても、流路５０を蛇行させることにより、液体光源３０近接または接触して光を照射することができる。
【００４１】
水素発生槽１０の流路５０には、液体光源３０に化学的、物理的または電気的な刺激を与えて発光させる刺激発生部を接続することも可能である。具体的には、液体光源３０を撹拌する撹拌装置、液体光源３０を加熱する加熱装置、または、電気刺激を与える電圧印加装置等を刺激発生部として配置することができる。
【００４２】
また、水素発生槽１０内の被着体６０の形状は、図１（ａ）の形状に限定されるものではなく、網目状のものや、筒状のものを用いることも可能である。これらの被着体６０の外周や内壁に光触媒を付着させ、液体光源３０と水４０を通過させることにより、水を光触媒により分解して水素を発生させることができる。
【００４３】
＜＜液体光源３０＞＞
液体光源３０についてさらに説明する。液体光源３０は、発光生物を水等の液体に分散したものであり、光触媒２０に光触媒作用を生じさせる波長の光を出射するものを用いる。光触媒２０の作用に必要な波長は、光触媒の材料に依存するが、一般的に、波長が短いほど効率が高くなるため、液体光源の発光波長は、可視光以下、より好ましくは５００ｎｍ以下に発光ピークをもつことが望ましい。
【００４４】
また、光触媒２０は、その種類により光触媒作用を発揮するのに必要な光の強度がきまっているので、液体光源３０は、光触媒により水を分解するのに必要な強度の光を出射できるように、発光生物の種類、濃度および量等を調整する。
【００４５】
＜発光生物＞
液体光源３０の発光生物としては、発光バクテリアや発光プランクトンを用いることができる。発光バクテリアの径は１〜２μｍ、発光プランクトンの径は４０μｍから１ｍｍと小さいため、いずれも液体に混合して液体光源３０とした場合に、流動性に優れた液体になる。また、室温で適度な栄養があれば簡単に培養できるため、取り扱いが容易である。人体への毒性も低いため利用しやすいというメリットもある。
【００４６】
被着体１６０の凹凸は、凹凸の隙間を液体光源３０の発光生物が通過できるように、隙間の幅が使用する発光生物の径の１０倍以上になるよう設計することが望ましい。
【００４７】
具体的には、発光バクテリアは、発光波長４７５ｎｍの青色に発光するPhotobacterium属のPhotobacterium  phosphoreumや、発光波長５３５ｎｍの黄色に発光するVibrio属のVibrio  fischeri  Y-1など強い発光や波長を示す公知の発光バクテリア（約１９種類）等のうちの１種以上を用いることができる。また、これらの公知の発光バクテリアに加え、新規の発光バクテリアや遺伝子組み換えを行った発光バクテリアを用いることも可能である。例えば、バクテリアの中に存在するタンパク質(photobacterium  phosphoreumではルマジンタンパク質(Lump)、Vibrio  fischeri  Y-1ではYFPタンパク質)を遺伝子組み換え等で組み換えたものを用いることができる。
【００４８】
具体的な発光プランクトンの例としては、動物性ではヤコウチュウ、植物性ではウズオビムシを用いることができる。ヤコウチュウは，直径１ｍｍほどの桃の形をした透明な単細胞生物である。
【００４９】
発光プランクトンを用いる場合、液体光源３０における発光プランクトンの濃度(密度)を大きくすることで発光強度を高めることができるため、生成される水素量が増加する。一方、発光バクテリアは、バクテリアの密度がある程度以上でなければ発光しないという特性があるため、濃度（密度）を５重量％以上に設定することが望ましい。ただし、濃度が高くなりすぎると、液体光源３０の粘度が増し、流動性が低下するため、濃度は９０重量％以下であることが望ましい。
【００５０】
また、発光強度は、濃度(密度)以外にも、液体光源３０の塩分濃度、酸素濃度、温度、撹拌など化学、物理的・電気的刺激などに依存するため、これらを考慮して十分な光を光触媒２０に照射できるように設計する。
【００５１】
発光バクテリアやプランクトンを混合（分散）する溶媒（液体）は、発光バクテリアやプランクトンに応じて選択する。例えば、発光バクテリアやプランクトンが海洋性の場合は溶媒として食塩水を、淡水性の場合は水を用いる。食塩水を用いて発光バクテリアを培養する場合には、塩分濃度を一般的な海水の濃度である３〜５％に設定することが好ましいが、液体光源３０として利用する場合には、塩分濃度により発光強度が変化するため、必要な発光強度が得られる塩分濃度に設定する。
【００５２】
＜＜光触媒＞＞
次に、光触媒２０についてさらに詳しく説明する。光触媒の種類は、水を水素と酸素に分解できるものであればいずれでもよい。ただし、液体光源３０の発光生物の発光波長が４００〜７００ｎｍ程度のものが多いことを考慮し、可視光によって光触媒作用を生じるものが望ましい。その場合、２段階励起機構をもつ可視光応答の人工光合成型の光触媒が望ましい。２段階光励起（Ｚ-スキーム）型水分解システムは、水の分解が水素生成系と酸素生成系に２分され、その間が電子伝達体であるヨウ素酸・ヨウ化物（ＩＯ３−／Ｉ−）やＦｅイオンのような可逆的なイオン対によって連結された形となっている。これより、各系に必要な光のエネルギーが小さくなるため、エネルギーの小さな長波長の可視光も利用することが可能となる。
【００５３】
２段階励起機構の光触媒の材料はいずれでもよいが、代表的な水素生成用光触媒と酸素生成用光触媒の組み合わせの例を以下に示す（ただし、「水素生成用光触媒」−「酸素生成用光触媒」で表す。）Ｐｔ／ＳｒＴｉＯ３：Ｃｒ−Ｔａ／ＷＯ３、Ｐｔ／ＴａＯＮ−ＷＯ３、Ｐｔ／ＳｔＴｉＯ３：Ｒｈ−ＢｉＶＯ４、Ｐｔ／ＳｔＴｉＯ３：Ｒｈ−ＷＯ３、Ｒｕ／ＳｔＴｉＯ３：Ｒｈ−ＢｉＶＯ４、Ｒｕ／ＳｔＴｉＯ３：Ｒｈ−ＷＯ３、Ｃｒ−Ｒｈ／ＧａＮ：ＺｎＯ、および、ＢａＴａＯ２Ｎ−ＷＯ３のうちのいずれか、もしくは、２以上を用いることができる。
【００５４】
光触媒２０を被着体１６０上に配置する方法としては、粒子状にした光触媒２０を樹脂や無機物等のバインダーに混ぜ、被着体１６０の表面に塗布や滴下した後、固化させる方法や、EB蒸着やスパッタ等の気相成長法により被着体の表面に成膜する方法を用いることができる。
【００５５】
（第２の実施形態）
第１の実施形態の水素製造装置は、水素発生槽１０のみを備えている構成であったが、液体状の光源を発光可能な状態に調整して流入口に流入させる調整槽をさらに有する構成にすることが可能である。図３に、調整槽１１１を備えた水素発生装置の全体構成例を示す。図４に、図３の水素製造装置を用いた発電システムの全体構成の例を示す。
【００５６】
図３の水素製造装置は、水素発生槽１０の前段に、調整槽１１１として制御槽１０１と培養槽１０２とが順に配置されている。制御槽１０１は、液体光源３０の温度や塩分濃度を調整し、酸素を供給し、さらに、液体光源３０に化学的、物理的または電気的な刺激を与えて発光する状態にする。制御槽１０１の処理により、発光バクテリア全体の発光タイミングを合わせることができる。制御槽１０１には、制御槽１０１における温度等の調整、酸素供給、刺激発生を制御する制御ユニット１１２が接続されている。
【００５７】
一方、培養槽１０２は、発光生物を培養する。培養槽１０２には、外部から液体培地（水や塩分）や養分（有機物やメタンガス等）が供給される。養分を培養槽１０２に供給するため、生活排水等を微生物分解する微生物分解槽を培養槽１０２に連結してもよい。
【００５８】
また、図４のように水素発生槽１０の流出口から流出した液体光源３０を、培養槽１０２に戻す循環機構１０３をさらに有することが好ましい。これにより、水素発生槽で発光しなくなった液体状の光源を再び発光するように調整することができるため、液体光源３０を再利用することができる。
【００５９】
水素発生槽１０には、水素ガスおよび酸素ガスを取り出すガス取出口１０ｃが備えられ、ガス取出口１０ｃには、水素／酸素分離フィルタ１０５が取り付けられている。水素／酸素分離フィルタ１０５には、純化器１０６、圧縮器１０７、水素貯蔵ボンベ１０８、燃料電池１０９、および、変換器１１０が順に接続されている。
【００６０】
第１の実施形態で説明したように、水素発生槽１０で発生した水素と酸素は、水素／酸素分離フィルタ１０５によって分離される。酸素は、水素発生槽１０に接続されている酸素供給装置７０に供給される。酸素供給装置７０は、液体光源３０に酸素を供給する。一方、水素は、図４のように、純化器１０６によって高純度化され、圧縮器１０７で圧縮され、水素貯蔵ボンベ１０８に貯蔵される。図示していない燃料電池制御装置の制御下で、燃料電池１０９は、水素貯蔵ボンベ１０８から水素の供給を受けるとともに、空気（酸素）を外気から取り込み、発電を行う。発電した電気は、変換器１１０により直流から交流に変換されるとともに、必要に応じて変圧され、家庭用の電気機器等の負荷に供給される。
【００６１】
このように、第２の実施形態の発電システムは、発光生物である発光バクテリアや発光プランクトンを定常的に外部から追加するのではなく、装置内で培養することができるため、メンテナンスが容易な発電システムを提供できる。また、光触媒により水を分解するため、ＣＯ２を発生せず、環境負荷の少ない発電を行うことができる。
【符号の説明】
【００６２】
１０：水素発生槽、２０：光触媒、３０：液体光源、４０：水、５０：液体光源の流路、６０：分解すべき水の流路、１０１：制御槽、１０２培養槽、１０３：循環機構、１０５：水素／酸素分離フィルタ、１０６：純化器、１０７：圧縮器、１０８：水素貯蔵ボンベ、１０９：家庭用燃料電池、１１０：変換器、１５０：分離部材、１６０：被着体
【図１】
2015067478.tif 000003
【図２】
2015067478.tif 000004
【図３】
2015067478.tif 000005
【図４】
2015067478.tif 000006